(57)【要約】移動端末器のパスワードを使用する安全保障サービス提供方法及びその移動端末器に関するものである。これからのスマートカードには正常パスワードと非常用パスワードが記憶される。移動端末器の使用者によって特殊サービス使用のためのパスワードが入力されると、入力されたパスワードが正常パスワード及び非常用パスワードと比較される。入力されたパスワードが正常パスワードと同一であれば、使用者によって要請された特殊サービスの提供を受ける。しかし、入力されたパスワードが非常用パスワードと同一であれば、事前に設定された非常用処理手続が行われる。このような非常用処理手続に従って、予め設定された非常連絡手続を通じて外部に非常用メッセージが発送されたり、予め設定された仮想の処理情報が表示されたり、または要請された特殊サービスが提供できないという内容の非正常処理メッセージが移動端末器に表示されたりする。したがって、本人確認及び認証に利用されるパスワードの制限された機能に非常用処理手続遂行機能を付与して移動端末器の特殊サービスを利用する使用者に安全を保障し信頼感を与えることができる。【選択図】図３
2009545897.tif 000002
【特許請求の範囲】
【請求項１】
パスワードを使用して処理される特殊サービス機能が付加された移動端末器で使用者の安全を保障する方法において、
ａ）前記特殊サービス機能を起動するためのパスワードの入力を受ける段階；
ｂ）前記入力を受けたパスワードを予め設定されてメモリに記憶された正常パスワード及び非常用パスワードと比較して、その一致の有無を判別する段階；及び
ｃ）前記判別の結果、前記入力を受けたパスワードが正常パスワードと一致する場合には前記特殊サービス機能を起動し、前記入力を受けたパスワードが前記非常用パスワードと一致する場合には予め設定された非常連絡手続を進行した後、前記特殊サービス機能を起動する段階
を含むことを特徴とする安全保障サービス提供方法。
【請求項２】
前記段階ｃ）で前記非常連絡手続は、
ｉ）前記移動端末器のメモリ内に予め設定された少なくとも１つの電話番号を検索する段階；
ｉｉ）前記移動端末器のメモリ内に予め記憶しておいた内容を抽出する段階；及び
ｉｉｉ）前記検索された少なくとも１つの電話番号に前記抽出した内容をＳＭＳ（ＳｈｏｒｔＭｅｓｓａｇｅ Ｓｅｒｖｉｃｅ）を利用して伝達する段階
を含むことを特徴とする請求項１記載の安全保障サービス提供方法。
【請求項３】
前記段階ｉｉｉ）は、前記移動端末器の現在位置情報を前記内容にさらに含めて伝達することを特徴とする請求項２記載の安全保障サービス提供方法。
【請求項４】
前記予め記憶しておいた内容は、非常事態であることを示すメッセージまたは緊急救助要請メッセージであることを特徴とする請求項２記載の安全保障サービス提供方法。
【請求項５】
前記特殊サービス機能は、金融取引機能または通信機能であることを特徴とする請求項１記載の安全保障サービス提供方法。
【請求項６】
前記段階ｃ）は、前記判別の結果、前記入力を受けたパスワードが正常パスワード及び非常用パスワードの何れにも一致しない場合にはエラーメッセージを出力し、前記特殊サービス機能の使用を制限することを特徴とする請求項１記載の安全保障サービス提供方法。
【請求項７】
前記段階ｂ）で正常パスワード及び非常用パスワードを記憶するメモリは、ＵＩＣＣ（ＵｎｉｖｅｒｓａｌＩＣ Ｃａｒｄ）またはＵＳＩＭ（Ｕｎｉｖｅｒｓａｌ Ｓｕｂｓｃｒｉｂｅｒ Ｉｄｅｎｔｉｔｙ Ｍｏｄｕｌｅ）に含まれることを特徴とする請求項１記載の安全保障サービス提供方法。
【請求項８】
前記パスワードは、ＵＩＣＣまたはＵＳＩＭに使用されるＰＩＮ（ＰｅｒｓｏｎａｌＩｄｅｎｔｉｆｉｃａｔｉｏｎ Ｎｕｍｂｅｒ）であることを特徴とする請求項１記載の安全保障サービス提供方法。
【請求項９】
パスワードを使用して処理される特殊サービス機能が付加された移動端末器において、
使用者からパスワードの入力を受けるパスワード入力モジュール；
予め設定された正常パスワード、非常用パスワード、少なくとも１つの非常電話番号及び非常メッセージを記憶している記憶モジュール；
前記パスワード入力モジュールから入力を受けたパスワードが前記記憶モジュールに記憶された正常パスワードと一致する場合には認証成功信号を提供し、前記パスワード入力モジュールから入力を受けたパスワードが前記非常用パスワードと一致する場合には認証成功信号と共に非常事態処理を指示する認証モジュール；
前記認証モジュールから非常事態処理が指示される場合、前記記憶モジュールに記憶された非常メッセージを前記記憶モジュールに記憶された少なくとも１つの非常電話番号に発送するメッセージ発送モジュール；及び
前記認証モジュールから認証成功信号を受けて前記特殊サービス機能を起動する機能起動モジュール
を含むことを特徴とする移動端末器。
【請求項１０】
前記認証モジュールは、前記パスワード入力モジュールから入力を受けたパスワードが前記記憶モジュールに記憶された正常パスワード及び非常用パスワードの何れにも一致しない場合に認証失敗信号を提供し、
前記認証モジュールから提供される認証失敗信号によってエラーメッセージを前記移動端末器に表示するエラー処理モジュールをさらに含み、
前記機能起動モジュールは、前記認証モジュールから認証失敗信号の提供を受けると前記特殊サービス機能を制限する
ことを特徴とする請求項９記載の移動端末器。
【請求項１１】
前記記憶モジュールは、ＵＩＣＣまたはＵＳＩＭに搭載されていることを特徴とする請求項９記載の移動端末器。
【請求項１２】
パスワードを使用して処理される特殊サービス機能が付加された移動端末器で使用者の安全を保障する方法において、
ａ）前記特殊サービス機能を使用するためのパスワードの入力を受ける段階；
ｂ）メモリに記憶された非常用パスワードを抽出する段階；及び
ｃ）前記入力されたパスワードと前記非常用パスワードを比較して同一であれば、前記特殊サービス機能に対する仮想の処理情報を生成し、または、事前に設定された仮想の処理情報を抽出して、前記仮想の処理情報を前記移動端末器に表示する段階
を含むことを特徴とする安全保障サービス提供方法。
【請求項１３】
前記段階ｂ）は、前記メモリから非常用パスワードを抽出すると同時に、前記特殊サービスの認証のために事前に前記メモリに設定された正常パスワードを抽出することを特徴とする請求項１２記載の安全保障サービス提供方法。
【請求項１４】
前記段階ｂ）とｃ）の間に、前記入力されたパスワードと前記正常パスワードを比較して同一であれば、移動通信網を通じて前記特殊サービスを提供するサーバーに連結し、前記入力されたパスワードと前記正常パスワードが相異すると前記段階ｃ）に進行する段階を追加的に含むことを特徴とする請求項１３記載の安全保障サービス提供方法。
【請求項１５】
前記段階ｃ）は、前記入力されたパスワードと前記非常用パスワードが相異すると、前記入力されたパスワードの入力が誤ったことを知らせるエラー発生メッセージを生成して前記移動端末器に表示することを特徴とする請求項１２記載の安全保障サービス提供方法。
【請求項１６】
前記段階ａ）の前に、
前記メモリに前記非常用パスワードとして使用するパスワードを入力して記憶させる段階；及び
前記非常用パスワードの入力によって表示される仮想の処理情報の入力を受けて記憶する段階のうちの１つ以上の段階を追加的に含むことを特徴とする請求項１２記載の安全保障サービス提供方法。
【請求項１７】
前記段階ｃ）は、前記仮想の処理情報を表示すると同時に、前記使用者の身元に危険が発生したことを知らせる非常連絡手続を進行することを特徴とする請求項１２記載の安全保障サービス提供方法。
【請求項１８】
前記段階ｃ）は、前記仮想の処理情報を生成または抽出するとき、正常な処理画面と同一の形態の画面に相当する情報を生成または抽出して前記移動端末器に表示することを特徴とする請求項１２記載の安全保障サービス提供方法。
【請求項１９】
前記特殊サービス機能は金融サービス機能であり、
前記仮想の処理情報は前記金融サービスに対する仮想の口座情報である
ことを特徴とする請求項１２記載の安全保障サービス提供方法。
【請求項２０】
パスワードを使用して処理される特殊サービス機能が付加された移動端末器において、
前記特殊サービス機能を使用するためのパスワードを含む外部の入力を受けるキー入力部；
正常な特殊サービスを提供するのに使用される正常パスワードと、前記特殊サービスに対する仮想の処理情報を提供するのに使用される非常用パスワードとを記憶するメモリ；
前記移動端末器の動作状態を始めて前記特殊サービス提供のためのパスワード認証画面、正常処理情報の画面、前記仮想の処理情報の画面を表示するディスプレイ部；及び
前記キー入力部を通じて入力されるパスワードと前記メモリに記憶された正常パスワード及び非常用パスワードをそれぞれ比較し、その比較結果に応じて仮想の処理情報を生成して提供し、または、正常な特殊サービスを提供する制御部
を含むことを特徴とする移動端末器。
【請求項２１】
前記キー入力部を通じて入力されたデータを臨時に記憶するデータ記憶部；
前記移動端末器と前記メモリを連結させる外部装置接続部；及び
前記移動端末器が前記特殊サービスを提供するためのサーバーに連結されるように移動通信網に接続するベースバンド変換部及びＲＦ信号処理部を追加的に含むことを特徴とする請求項２０記載の移動端末器。
【請求項２２】
前記メモリはＵＩＣＣまたはＵＳＩＭを含むスマートカードであり、
前記スマートカードが、
前記正常パスワード及び前記非常用パスワードを記憶するＥＥＰＲＯＭ；
前記スマートカードの運営体制及び保安アルゴリズムを搭載するＲＯＭ；
前記スマートカードに電力が供給される期間の間に発生した臨時データを保管するＲＡＭ；及び
前記スマートカードのデータ記憶、呼出及び修正を制御する中央処理装置（ＣＰＵ）を含む
ことを特徴とする請求項２０記載の移動端末器。
【請求項２３】
前記制御部は、前記キー入力部を通じて入力されたパスワードと前記正常パスワードが同一であると前記特殊サービスを提供するためのサーバーに連結し、前記キー入力部を通じて入力されたパスワードと前記非常用パスワードが同一であれば前記仮想の処理情報を生成して表示することを特徴とする請求項２１記載の移動端末器。
【請求項２４】
前記キー入力部を通じて入力されたパスワードが前記正常パスワード及び前記非常用パスワードと全て相異すると、前記キー入力部を通じて入力されたパスワードの入力が誤ったことを知らせるエラーメッセージを生成して表示することを特徴とする請求項２３記載の移動端末器。
【請求項２５】
前記制御部は、
前記スマートカードから前記正常パスワード及び前記非常用パスワードを呼び出すスマートカード情報呼出モジュール；
前記キー入力部を通じて入力されたパスワードを確認する入力パスワード確認モジュール；
前記キー入力部を通じて入力されたパスワードを前記正常パスワードまたは前記非常用パスワードと比較して前記キー入力部を通じて入力されたパスワードの認証を行う認証処理モジュール；及び
前記キー入力部を通じて入力されたパスワードが前記非常用パスワードであることが確認されることによって表示する仮想の処理情報を生成し、または、事前に設定された仮想の処理情報を呼び出す仮想情報生成／呼出モジュール
を含むことを特徴とする請求項２２記載の移動端末器。
【請求項２６】
前記制御部は、前記正常パスワード及び秘事用パスワードを含んで前記スマートカードに記憶された内訳を変更するスマートカード情報変更モジュールを追加的に含むことを特徴とする請求項２５記載の移動端末器。
【請求項２７】
前記特殊サービス機能は金融サービス機能であり、
前記仮想の処理情報は前記金融サービスに対する仮想の口座情報である
ことを特徴とする請求項２０記載の移動端末器。
【請求項２８】
パスワードを使用して処理される特殊サービス機能が付加された移動端末器で使用者の安全を保障する方法において、
ａ）前記特殊サービス機能を使用するためのパスワードの入力を受ける段階；
ｂ）メモリに記憶された非常用パスワードを抽出する段階；及び
ｃ）前記入力されたパスワードと前記非常用パスワードを比較して同一であると、前記特殊サービス機能の使用が不可能であることを知らせる非正常処理メッセージを生成し、または、事前に設定された非正常処理メッセージを抽出して、前記非正常処理メッセージを前記移動端末器に表示する段階
を含むことを特徴とする安全保障サービス提供方法。
【請求項２９】
前記段階ａ）の前に、
前記メモリに前記非常用パスワードとして使用するパスワードを入力して記憶させる段階；及び
前記非常用パスワードの入力によって表示される非正常処理メッセージの入力を受けて記憶する段階のうちの１つ以上の段階を追加的に含む
ことを特徴とする請求項２８記載の安全保障サービス提供方法。
【請求項３０】
前記段階ｃ）は、前記非正常処理メッセージを表示すると同時に、前記使用者の身元に危険が発生したことを知らせる非常連絡手続を進行することを特徴とする請求項２８記載の安全保障サービス提供方法。
【請求項３１】
前記段階ｃ）は、前記入力されたパスワードが前記非常用パスワードと同一である場合、前記特殊サービス使用による正常な金融サービス画面と同一な形態の画面を生成または抽出して前記移動端末器に表示することを特徴とする請求項２８記載の安全保障サービス提供方法。
【請求項３２】
前記特殊サービス機能は金融サービス機能であることを特徴とする請求項２８記載の安全保障サービス提供方法。
【請求項３３】
パスワードを使用して処理される特殊サービス機能が付加された移動端末器において、
前記特殊サービス機能を使用するためのパスワードを含む外部の入力を受けるキー入力部；
正常な特殊サービスを提供するのに使用される正常パスワードと前記特殊サービス機能の使用が不可能であることを知らせる非正常処理メッセージを提供するのに使用される非常用パスワードを記憶するメモリ；
前記移動端末器の動作状態を始めて前記特殊サービス提供のためのパスワード認証画面、正常処理情報の画面、前記非正常処理メッセージを表示するディスプレイ部；及び
前記キー入力部を通じて入力されるパスワードと前記メモリに記憶された正常パスワード及び非常用パスワードをそれぞれ比較し、その比較結果に応じて前記非正常処理メッセージを生成して提供し、または、正常な前記特殊サービスを提供する制御部
を含むことを特徴とする移動端末器。
【請求項３４】
前記メモリはＵＩＣＣまたはＵＳＩＭを含むスマートカードであり、
前記スマートカードが、
前記正常パスワード及び前記非常用パスワードを記憶するＥＥＰＲＯＭ；
前記スマートカードの運営体制及び保安アルゴリズムを搭載するＲＯＭ；
前記スマートカードに電力が供給される期間の間に発生した臨時データを保管するＲＡＭ；及び
前記スマートカードのデータ記憶、呼出及び修正を制御する中央処理装置（ＣＰＵ）を含む
ことを特徴とする請求項３３記載の移動端末器。
【請求項３５】
前記制御部は、前記キー入力部を通じて入力されたパスワードと前記正常パスワードが同一であれば前記特殊サービスを提供するためのサーバーに連結し、前記キー入力部を通じて入力されたパスワードと前記非常用パスワードが同一であれば前記非正常処理メッセージを生成して表示することを特徴とする請求項３３記載の移動端末器。
【請求項３６】
前記制御部は、
前記スマートカードから前記正常パスワード及び前記非常用パスワードを呼び出すスマートカード情報呼出モジュール；
前記キー入力部を通じて入力されたパスワードを確認する入力パスワード確認モジュール；
前記キー入力部を通じて入力されたパスワードを前記正常パスワードまたは前記非常用パスワードと比較して前記キー入力部を通じて入力されたパスワードの認証を行う認証処理モジュール；及び
前記キー入力部を通じて入力されたパスワードが前記非常用パスワードであることが確認されることによって表示する非正常処理メッセージを生成し、または、事前に設定された非正常処理メッセージを呼び出す非正常処理メッセージ生成／呼出モジュール
を含むことを特徴とする請求項３３記載の移動端末器。
【請求項３７】
前記特殊サービス機能は金融サービス機能であることを特徴とする請求項３３記載の移動端末器。
【発明の詳細な説明】
【技術分野】
【０００１】
本発明は移動端末器の安全保障サービスに関し、特に、非常事態に対処するパスワードを使用する特殊サービス機能を有する移動端末器のための安全保障サービス提供方法及びその移動端末器に関するものである。
【背景技術】
【０００２】
最近の電子工学及び通信工学の飛躍的な発展に従って移動端末器も多様な機能を有するようになった。つまり、無線通信及びデータ処理技術が急速に発展することによって、人間は移動端末器を利用して音声通話だけでなく、インターネット接続、画像通信及び動画メッセージ伝送などの機能を利用するようになった。また、移動端末器の急激な普及によって、人間関係で発生する相当量の通信が移動端末器を通じて行われるなど、移動端末器は現代生活で必須の通信手段である。
【０００３】
このような傾向と共に、移動端末器を用いたコンテンツの利用や金融取引サービスなどの多様なサービスが提供されており、その利用分野はさらに増加している。このとき、移動端末器を利用したコンテンツの利用及び金融取引などのサービスを提供するためには、安全が保障される決済手段が備えられなければならず、このためにスマートカード（ＳｍａｒｔＣａｒｄ）やバンキングチップ（Ｂａｎｋｉｎｇ Ｃｈｉｐ）など、使用者認証のための安全対策が多様に準備されている。
【０００４】
従来の認証方法及び安全保護方法は、移動端末器に装着されたスマートカードやバンキングチップなどを利用した認証とパスワードを利用した認証とを組み合わせて利用する安全保障システムが大部分であった。つまり、従来は、別途の認証サーバーで移動端末器に装着されたスマートカードやバンキングチップなどが正常なものであるかを認証し、それと共に入力を受けたパスワードを判別して認証する方法で安全を維持した。
【０００５】
しかし、このような移動端末器を所持した加入者が強盗に脅かされたり、拉致されたりするなどの不可抗力の状況に遭遇したときには、上記のような従来の安全保障システムでは加入者の安全を保障することはできない。つまり、強圧的な状況で移動端末器を利用して金融情報の決済や口座振替を強要されたり、拉致などの状況で金品を要求する電話などの威嚇を受けたりすることがあるが、従来技術ではこのような場合を解決することができないという致命的な問題がある。
【発明の概要】
【発明が解決しようとする課題】
【０００６】
本発明は、上述した従来の技術の問題を解決するために、移動端末器を所持した加入者の非常事態を外部に知らせる安全保障サービスの提供方法及びその移動端末器を提供する。
【０００７】
また、本発明は、非常事態を外部に知らせ、移動端末器にはその事実を表示させない安全保障サービスの提供方法及びその移動端末器を提供する。
【０００８】
また、本発明は、移動端末器を所持した加入者に非常事態が発生したとき、特殊サービスに対する仮想の処理情報を表示する安全保障サービスの提供方法及びその移動端末器を提供する。
【０００９】
また、本発明は、移動端末器を所持した加入者に非常事態が発生したとき、要請された特殊サービスが不可能であることを知らせる非正常処理メッセージを表示する安全保障サービス提供方法及びその移動端末器を提供する。
【課題を解決するための手段】
【００１０】
前記課題を達成するための本発明の１つの特徴による安全保障サービス提供方法は、パスワードを使用して処理される特殊サービス機能が付加された移動端末器で使用者の安全を保障する方法として、ａ）前記特殊サービス機能を起動するためのパスワードの入力を受ける段階と、ｂ）前記入力されたパスワードを、予め設定されてメモリに記憶された正常パスワード及び非常用パスワードと比較して、その一致の有無を判別する段階と、ｃ）前記判別の結果、前記入力されたパスワードが前記正常パスワードと一致する場合には前記特殊サービス機能を起動し、前記入力されたパスワードが前記非常用パスワードと一致する場合には予め設定された非常連絡手続を進めた後、前記特殊サービス機能を起動する段階とを含む。
【００１１】
ここで、前記特殊サービス機能は金融取引機能または通信機能であることを特徴とする。
【００１２】
また、前記メモリはＵＩＣＣ（ＵｎｉｖｅｒｓａｌＩＣ Ｃａｒｄ）またはＵＳＩＭ（Ｕｎｉｖｅｒｓａｌ Ｓｕｂｓｃｒｉｂｅｒ Ｉｄｅｎｔｉｔｙ Ｍｏｄｕｌｅ）を含む。
【００１３】
本発明の他の特徴による移動端末器は、パスワードを使用して処理される特殊サービス機能が付加された移動端末器で、使用者からパスワードの入力を受けるパスワード入力モジュールと、予め設定された正常パスワード、非常用パスワード、少なくとも１つの非常電話番号、非常メッセージを記憶している記憶モジュールと、前記パスワード入力モジュールから入力されたパスワードが前記記憶モジュールに記憶された正常パスワードと一致する場合には認証成功信号を提供し、前記パスワード入力モジュールから入力されたパスワードが前記非常用パスワードと一致する場合には認証成功信号と共に非常事態処理を指示する認証モジュールと、前記認証モジュールから非常事態処理が指示される場合、前記記憶モジュールに記憶された非常メッセージを前記記憶モジュールに記憶された少なくとも１つの非常電話番号に発送するメッセージ発送モジュールと、前記認証モジュールから認証成功信号を受けて、前記特殊サービス機能を起動する機能起動モジュールとを含む。
【００１４】
本発明のまた他の特徴による安全保障サービス方法は、パスワードを使用して処理される特殊サービス機能が付加された移動端末器で使用者の安全を保障する方法として、ａ）前記特殊サービス機能を使用するためのパスワードの入力を受ける段階と、ｂ）メモリに記憶された非常用パスワードを抽出する段階と、ｃ）前記入力されたパスワードと前記非常用パスワードを比較して同一であると、前記特殊サービス機能に対する仮想の処理情報を生成したり、事前に設定された仮想の処理情報を抽出したりして前記移動端末器に表示する段階とを含む。
【００１５】
本発明のまた他の特徴による移動端末器はパスワードを使用して処理される特殊サービス機能が付加された移動端末器で、前記特殊サービス機能を使用するためのパスワードを含む外部の入力を受けるキー入力部を含むとともに、正常な特殊サービスを提供するのに使用される正常パスワードと前記特殊サービスに対する仮想の処理情報を提供するのに使用される非常用パスワードとを記憶するメモリと、前記移動端末器の動作状態を始めて前記特殊サービス提供のためのパスワード認証画面、正常処理情報の画面、前記仮想の処理情報の画面を表示するディスプレイ部と、前記キー入力部を通じて入力されるパスワードと前記メモリに記憶された正常パスワード及び非常用パスワードをそれぞれ比較し、その比較結果に応じて仮想の処理情報を生成して提供したり、正常な特殊サービスを提供したりする制御部とを含む。
【００１６】
本発明のまた他の特徴による安全保障サービス方法はパスワードを使用して処理される特殊サービス機能が付加された移動端末器で使用者の安全を保障する方法として、ａ）前記特殊サービス機能を使用するためのパスワードの入力を受ける段階と、ｂ）メモリに記憶された非常用パスワードを抽出する段階と、ｃ）前記入力されたパスワードと前記非常用パスワードを比較して同一であると、前記特殊サービス機能の使用が不可能であることを知らせる非正常処理メッセージを生成したり、事前に設定された非正常処理メッセージを抽出したりして、非正常処理メッセージを前記移動端末器に表示する段階とを含む。
【００１７】
本発明のまた他の特徴による移動端末器はパスワードを使用して処理される特殊サービス機能が付加された移動端末器で、前記特殊サービス機能を使用するためのパスワードを含む外部の入力を受けるキー入力部を含むとともに、正常な特殊サービスを提供するのに使用される正常パスワードと前記特殊サービス機能の使用が不可能であることを知らせる非正常処理メッセージを提供するのに使用される非常用パスワードとを記憶するメモリと、前記移動端末器の動作状態を始めて前記特殊サービス提供のためのパスワード認証画面、正常処理情報の画面、前記非正常処理メッセージを表示するディスプレイ部と、前記キー入力部を通じて入力されるパスワードと前記メモリに記憶された正常パスワード及び非常用パスワードをそれぞれ比較し、その比較結果に応じて前記非正常処理メッセージを生成して提供したり、正常な前記特殊サービスを提供したりする制御部とを含む。
【発明の効果】
【００１８】
本発明によると、本人確認及び認証に利用されるＰＩＮの制限された機能に非常事態を知らせる機能を付与して移動端末器を通じてパスワードを使用して処理される特殊サービスを利用する使用者に安全を保障し信頼感を与える効果がある。
【００１９】
また、非常事態が発生したとき、正常な手続を行うような仮想画面を提供して使用者の身元に安全を保障することができ、パスワードを使用して処理される特殊サービスに対する処理時の仮想の処理情報を表示することによって、正常な処理による財産上の被害を減らせるので、移動端末器を使用して特殊サービスを使用する使用者に安定感と信頼感を提供する効果を期待することができる。
【００２０】
また、非常事態が発生したとき、正常な手続を行うことができないという非正常処理メッセージを生成して提供することによって、特殊サービスの使用による情報漏出を防止することができ、正常な処理が防止されることによって財産上の被害を減らせて移動端末器を使用して特殊サービスを使用する使用者に安定感と信頼感を提供する効果を期待することができる。
【００２１】
また、別途の認証サーバーや非常事態を処理するためのサーバーなどの複雑なシステムがなくても簡単に非常事態に対処する安全保障システムを提供する効果がある。
【図面の簡単な説明】
【００２２】
【図１】本発明の第１実施例による移動端末器のパスワードによる安全保障サービス提供装置の構成を示す図である。
【図２】図１の記憶モジュールに記憶される複数の情報を示す概念図である。
【図３】本発明の第１実施例による安全保障サービス提供方法の手続が示された流れ図である。
【図４】非常事態に備えた非常連絡手続が示された流れ図である。
【図５】本発明の第２実施例による移動端末器のパスワードによる安全保障サービス提供装置の内部構造を簡略に示すブロック構成図である。
【図６】図５に示されたマイクロプロセッサーの内部構成を示すブロック構成図である。
【図７】図５に示されたスマートカードの内部構成を示すブロック構成図である。
【図８】本発明の第２実施例による移動端末器のパスワードによる安全保障サービス提供方法を説明するための流れ図である。
【図９】本発明の第２実施例により金融サービスが提供される移動端末器の例示画面を示す図である。
【図１０】本発明の第３実施例による移動端末器のパスワードによる安全保障サービス提供装置の内部構造を簡略に示すブロック構成図である。
【図１１】図１０に示されたマイクロプロセッサーの内部構成を示すブロック構成図である。
【図１２】本発明の第３実施例による移動端末器のパスワードによる安全保障サービス提供方法を説明するための流れ図である。
【図１３】本発明の第３実施例により金融サービスが提供される移動端末器の例示画面を示す図である。
【発明を実施するための形態】
【００２３】
以下、添付した図面を参照して本発明の実施例について本発明が属する技術分野における通常の知識を有する者が容易に実施できるように詳しく説明する。しかし、本発明は、多様に相異なる形態で実現することができ、ここで説明する実施例に限られない。そして、図面で本発明を明確に説明するために説明上不要な部分は省略し、明細書全体にわたって類似の部分については類似の図面符号を付けた。
【００２４】
また。ある部分がある構成要素を“含む”とするとき、これは特に反対になる記載のない限り、他の構成要素を除くことではなく、他の構成要素をさらに含むことを意味する。
【００２５】
図１は、本発明の第１実施例による移動端末器のパスワードによる安全保障サービス提供装置の構成を示す図である。
【００２６】
図１に示されているように、本発明の第１実施例による安全保障サービス提供装置１００は、移動端末器に搭載されて使用者認証及び使用者の安全保障サービスを提供する。その結果、安全保障サービス提供装置１００は、ＰＩＮ（暗証番号：ＰｅｒｓｏｎａｌＩｄｅｎｔｉｆｉｃａｔｉｏｎ Ｎｕｍｂｅｒ）入力モジュール１１０と、認証モジュール１２０と、記憶モジュール１３０と、機能起動モジュール１４０と、ＳＭＳ（ＳｈｏｒｔＭｅｓｓａｇｅ Ｓｅｒｖｉｃｅ、ショートメッセージサービス）発送モジュール１５０と、エラー処理モジュール１６０とを含む。
【００２７】
ＰＩＮ入力モジュール１１０は、移動端末器を利用する使用者から移動端末器の金融取引機能の利用に対する認証処理のためのパスワードであるＰＩＮの入力を受ける。ＰＩＮ入力モジュール１１０は、移動端末器の入力手段またはキーパッドを通じて使用者からＰＩＮの入力を受ける。このようなＰＩＮは、電話番号のように電話回線または電話機の番号で使用者を識別するものではなく、自分のカードやＩＣカードやスマートカードなどを利用して使用者個人を識別するシステムに利用される個人識別番号である。
【００２８】
記憶モジュール１３０は、使用者認証に必要な複数の情報が記憶されているメモリである。記憶モジュール１３０は、非常事態に対する情報を含めて記憶することができる。記憶モジュール１３０にはＰＩＮ認証を通じて使用者を識別するＰＩＮが記憶されているが、これは移動端末器の正式所有者または加入者から予め設定されて記憶されたり、正式所有者または加入者であることを確認した後、ＰＩＮが発給されて記憶されたりする。記憶モジュール１３０は書込み／読取りが制限され、偽造及び変調が不可能な記憶手段であるのが好ましい。このような手段として、記憶モジュール１３０はＵＩＣＣ（ＵｎｉｖｅｒｓａｌＩＣ Ｃａｒｄ）やＵＳＩＭ（Ｕｎｉｖｅｒｓａｌ Ｓｕｂｓｃｒｉｂｅｒ Ｉｄｅｎｔｉｔｙ Ｍｏｄｕｌｅ）などを利用することができる。ＵＩＣＣ及びＵＳＩＭは、セキュリティが強化されたメモリチップを含み、セキュリティ領域にＰＩＮを記憶して利用する。
【００２９】
特に、記憶モジュール１３０のＰＩＮ記憶領域には、正常な使用者認証に利用される正常ＰＩＮと、非常事態に対処する非常用ＰＩＮとの２種類のＰＩＮが記憶されている。このように記憶モジュール１３０に記憶される複数の情報は、図２の表に示されている。図２を参照すると、２種類のＰＩＮであるＰＩＮ＃１及びＰＩＮ＃２がそれぞれ記憶され、非常事態に関する情報の非常電話番号と非常メッセージデータとがそれぞれ追加的に記憶されている。ここで、ＰＩＮ＃１は正常ＰＩＮで、ＰＩＮ＃２は非常用ＰＩＮである。また、非常電話番号としては、電話番号自体が記憶されていてもよいし、移動端末器の電話番号簿から選択されたアドレス情報が記憶されていてもよい。例えば、家の電話番号が移動端末器の電話番号簿の５番に記憶され、警察署の電話番号が４７番に記憶されていると仮定すると、記憶モジュール１３０の非常電話番号の領域に５、４７を記憶して１つ以上の電話番号を示すことができる。また、非常事態であることを示すメッセージまたは緊急救助要請メッセージが非常メッセージデータとしてＳＭＳ発信可能なフォーマットで記憶され、使用者によって予め作成された文句または一般的な非常事態の文句が記憶される。
【００３０】
認証モジュール１２０は、ＰＩＮ入力モジュール１１０から入力を受けたＰＩＮを利用して認証処理を行う。認証モジュール１２０は、入力を受けたＰＩＮを記憶モジュール１３０に記憶された２種類のＰＩＮと比較して一致の有無を判別する。判別の結果、入力されたＰＩＮ番号がＰＩＮ＃１と一致する場合には、認証モジュール１２０は、認証成功と判断して認証成功信号を提供する。しかし、入力されたＰＩＮ番号がＰＩＮ＃１と一致せず、ＰＩＮ＃２と一致する場合には、認証モジュール１２０は、非常事態と判断して非常事態処理を指示し、さらに認証成功信号を提供する。
【００３１】
最後に、入力されたＰＩＮ番号が２種類のＰＩＮ（ＰＩＮ＃１、ＰＩＮ＃２）のどちらとも一致しない場合には、入力エラー及び正式使用者ではないと判断して認証失敗信号を提供する。
【００３２】
機能起動モジュール１４０は、認証モジュール１２０から提供された信号が認証成功信号であれば、移動端末器の金融取引機能を起動して使用者に次のプロセスへの進行を許可するが、認証モジュール１２０から提供された信号が認証失敗信号であれば、移動端末器の金融取引機能の利用を制限する。
【００３３】
ＳＭＳ発送モジュール１５０は、認証モジュール１２０で指示された非常事態処理を行う。認証モジュール１２０から非常事態処理の指示が受信すると、記憶モジュール１３０に記憶された非常電話番号と非常メッセージデータを読み出した後、ＳＭＳを発送する。記憶モジュール１３０に複数の電話番号が記憶されている場合には、全ての電話番号にそれぞれＳＭＳを発送する。特に、ＳＭＳ発送モジュール１５０で行われる非常事態処理の手続は、移動端末器においてバックグラウンドモードで進められ、進行手続や発送結果などの内容を表示しない。
【００３４】
エラー処理モジュール１６０は、認証モジュール１２０から認証失敗信号を受信し、エラーメッセージを移動端末器に出力する。
【００３５】
以上のように、本発明の第１実施例による安全保障サービス提供装置１００は移動端末器に搭載される。これを搭載した移動端末器は、パスワードを使用して処理される特殊サービス、例えば金融取引を行うときに使用者認証が必要な機能を行う。このとき、移動端末器の所有者である正式加入者は、認証に使用される２種類のパスワードを予め設定しておいた後、正常な認証処理以外の非常事態で効果的に対処することができる。つまり、一般的な状況で移動端末器の金融取引機能を利用する場合には正常ＰＩＮを入力して認証を受け、金融取引機能が起動した後に利用する。しかしながら、強盗などの脅迫や拉致によって強圧的に移動端末器の金融取引機能を利用しなければならない場合には、使用者が非常用ＰＩＮを入力したり、使用者に入力するように知らせたりすると、正常に認証が成功して金融取引機能が起動すると共に、予め設定された非常電話番号に、非常事態のメッセージや緊急救助要請のメッセージが伝達される。したがって、強盗のような非正常な使用者が認知できないように非常事態を家族や警察に知らせることができる。
【００３６】
次に、本発明の第１実施例による移動端末器のパスワードによる安全保障サービス提供方法を図３及び図４を参照して説明する。
【００３７】
図３は、本発明の第１実施例による安全保障サービス提供方法の流れ図である。
【００３８】
図３に示されているように、安全保障サービス提供装置１００のＰＩＮ入力モジュール１１０は移動端末器の金融取引機能を利用しようとする使用者から使用者認証のためのＰＩＮの入力を受ける（Ｓ１１０）。
【００３９】
ＰＩＮ入力モジュール１１０を通じてＰＩＮが入力されると、認証モジュール１２０は、記憶モジュール１３０に記憶された二つのＰＩＮ（ＰＩＮ＃１、ＰＩＮ＃２）をそれぞれ読み出して、ＰＩＮ入力モジュール１１０を通じて入力を受けたＰＩＮと比較する。このとき、記憶モジュール１３０に記憶されたＰＩＮは、移動端末器の所有者である加入者が事前に予め記憶しておいたり、ＵＩＣＣやＵＳＩＭに予め登録しておいたりした正常ＰＩＮ（ＰＩＮ＃１）と非常用ＰＩＮ（ＰＩＮ＃２）である（Ｓ１２０）。
【００４０】
前記段階（Ｓ１２０）での比較の結果、認証モジュール１２０は、入力されたＰＩＮがＰＩＮ＃１と一致するかどうかを判別する（Ｓ１３０）。
【００４１】
前記判別の結果、入力されたＰＩＮ番号が正常ＰＩＮであるＰＩＮ＃１と一致する場合には、正式使用者として認証が処理されて機能起動モジュール１４０によって金融取引機能が起動する（Ｓ１３５）。このように移動端末器の金融取引機能が起動した後には、使用者の要請によって当該金融取引機能のプロセスが進められる（Ｓ１３６）。
【００４２】
一方、前記段階（Ｓ１３０）での判別の結果、入力されたＰＩＮが正常ＰＩＮのＰＩＮ＃１と一致しない場合、認証モジュール１２０は入力されたＰＩＮが非常用ＰＩＮのＰＩＮ＃２と一致するかどうかを判別する（Ｓ１４０）。
【００４３】
前記段階（Ｓ１４０）の判別の結果、入力されたＰＩＮが非常用ＰＩＮのＰＩＮ＃２と一致すると判別される場合、認証モジュール１１０は非常事態と判断し、非常事態処理を指示し、その結果、ＳＭＳ発送モジュール１５０は予め設定された非常連絡手続を進める（Ｓ１５０）。
【００４４】
図４には、非常事態に備えた非常連絡手続の順序が示されている。図４を参照すると、ＳＭＳ発送モジュール１５０は、まず、記憶モジュール１３０に予め記憶された非常電話番号を検索する。このときに検索される電話番号は１つ以上であってもよい（Ｓ１５１）。
【００４５】
次に、ＳＭＳ発送モジュール１５０は、記憶モジュール１３０に予め記憶された非常メッセージを抽出する。このような非常メッセージとしては、非常事態であることを示すメッセージや緊急救助要請メッセージがＳＭＳフォーマットで記憶されている（Ｓ１５２）。ＳＭＳ発送モジュール１５０は、このように抽出された非常メッセージデータを前記段階（Ｓ１５１）で検索された非常電話番号を受信番号として設定してＳＭＳで発送する（Ｓ１５３）。このとき、ＳＭＳ発送モジュール１５０は、移動端末器の現在位置情報を抽出してＳＭＳの発送時に共に発送することができる。特に、このような非常連絡手続は移動端末器においてバックグラウンドで実行されて進められ、その進行状況及び結果は表示されない。
【００４６】
次に、機能起動モジュール１４０は前記段階（Ｓ１５０）の手続が進められると同時に正式使用者として認証処理を行い、前記段階（Ｓ１３５、Ｓ１３６）の手続を進める。
【００４７】
しかし、前記段階（Ｓ１４０）で入力されたＰＩＮが非常用ＰＩＮであるＰＩＮ＃２と一致しないと判別される場合、認証モジュール１２０は、使用者認証処理が失敗したと判断し、認証失敗信号をエラー処理モジュール１６０に出力する。その結果、エラー処理モジュール１６０は、エラーメッセージを移動端末器に出力する。このように使用者認証処理が失敗した場合には機能起動モジュール１４０によって金融取引機能が制限される（Ｓ１７０）。
【００４８】
このようなエラーメッセージ出力と共に前記段階（Ｓ１１０）の手続が再び進められることもできる。また、入力エラーや誤打によるＰＩＮ入力エラーを勘案して前記段階（Ｓ１１０）での反復進行回数を制限することもできる。
【００４９】
一方、前記本発明の第１実施例では金融取引機能についてのみ説明しているが、本発明の技術的範囲はこれに限定されず、前記説明に基づいた構成及び作用を適用する場合、パスワードを使用して処理される特殊サービス、例えば金融取引以外に通信機能と一般的な移動端末器の機能に対しても適用できることは、本技術分野の当業者であれば容易に理解できる。この場合、非常事態に面した使用者から特殊サービスに対する使用要請がある場合、入力される非常用ＰＩＮを通じてこれを認識して特殊サービスに対する正常処理を進めると同時に、予め設定された非常連絡手続を進めることによって、非常事態に置かれた使用者の安全を保障することができる。
【００５０】
前記のように、本発明の第１実施例では移動端末器の使用者に非常事態が発生した場合にこのような状況を外部に知らせることができることについてのみ説明したが、以下では仮想の口座情報を移動端末器に表示して正常な金融取引が行われたように仮想の画面を提供することによって、非常事態が発生した使用者の安全を保障する本発明の第２実施例について説明する。
【００５１】
ここで、本発明の第２実施例による仮想の口座情報には、仮想の口座情報を利用して使用者によって処理される取引情報も含まれることを仮定して説明する。
【００５２】
図５は、本発明の第２実施例による移動端末器のパスワードによる安全保障サービス提供装置の内部構造を簡略に示すブロック構成図である。
【００５３】
図５に示されているように、本発明の第２実施例による移動端末器２００は、プログラムメモリ２０２と、データ記憶部２０４と、キー入力部２０６と、ディスプレイ部２０８と、外部装置接続部２１０と、スマートカード２２２と、加入者情報記憶部２１２と、マイクロプロセッサー２１４と、ベースバンド変換部２１６と、ＲＦ信号処理部２１８と、アンテナ２２０とを含む。
【００５４】
プログラムメモリ２０２は、有線、無線通信遂行プログラム、写真や動画撮影、ゲームなどの付加サービス実行プログラム及び外部装置接続部２１０を通じて接続される外部装置との連動のためのプログラムなど、移動端末器２００を全般的に制御するための制御プログラムが記憶されている部分である。
【００５５】
また、プログラムメモリ２０２には、入力ＰＩＮ確認プログラムや認証管理サーバー連結プログラム、仮想口座生成プログラムなどが記憶されている。入力ＰＩＮ確認プログラムは、外部装置接続部２１０を通じて連結されているスマートカード２２２に記憶された正常ＰＩＮと非常用ＰＩＮを呼び出してキー入力部２０６を通じて入力されたＰＩＮ番号と比較するプログラムである。認証管理サーバー連結プログラムは、入力されたＰＩＮ番号と正常ＰＩＮが一致すると金融サービスの提供を受けるために移動通信網を通った認証管理サーバーと連動するプログラムである。仮想口座生成プログラムは、入力されたＰＩＮ番号と非常用ＰＩＮが一致すると仮想の口座情報を生成して表示するプログラムである。
【００５６】
データ記憶部２０４は、各種プログラムを実行するときにデータバッファーの役割を果たし、またキー入力部２０６によって入力されるＰＩＮ番号や外部から受信されたデータを一時的に記憶する部分である。
【００５７】
キー入力部２０６は、電話番号及び本発明の実施のためのＰＩＮ番号を入力するための数字キーと、文字入力のためのキーボタンと、メニュー選択ボタンとを備えている。
【００５８】
ディスプレイ部２０８は、電源の使用状態や電波の受信強度、日付、時間などを含む移動端末器の動作状態を表示し、移動端末器を通じて金融サービスの提供を受ける場合、認証のための画面、認証手続によって金融サービスサーバーから伝達される口座情報画面、または事前に設定された仮想口座情報画面などの金融サービス画面を表示する。
【００５９】
外部装置接続部２１０は、カメラ、イヤホンジャック、充電器、データケーブル、スマートカードなど移動端末器２００に接続または挿入される外部装置をマイクロプロセッサー２１４と連結させる部分である。
【００６０】
スマートカード２２２は、正常な金融サービスの提供を受けるための正常ＰＩＮと、仮想口座情報を表示するための非常用ＰＩＮとを記憶する。ここで、スマートカード２２２の内部構造及び機能については図７を参照して詳細に説明する。
【００６１】
加入者情報記憶部２１２は、加入者登録情報を記憶している部分である。加入者登録情報は、移動通信網で各移動端末器ごとに付与される固有番号を含み、カード形態で移動端末器２００に挿入されたり、内部にチップ形態で記憶されたりする。ここで、加入者情報記憶部２１２がＳＩＭ（ＳｕｂｓｃｒｉｂｅｒＩｄｅｎｔｉｔｙ Ｍｏｄｕｌｅ）カード形態で実現されるとき、正常ＰＩＮ及び非常用ＰＩＮを記憶するスマートカード２２２の一部で実現されることができる。
【００６２】
マイクロプロセッサー２１４は、移動通信網を通じて音声及びデータ通話を行い、キー入力部２０６を通じて金融サービスの提供要請が入力されると、ＰＩＮ番号の入力を受けて正常ＰＩＮであるか非常用ＰＩＮであるかを確認し、正常ＰＩＮであればＲＦ信号処理部２１８を通じて移動通信網及び認証管理サーバーを通じて金融サービスサーバーに接続して金融サービスの提供を受け、非常用ＰＩＮであれば仮想口座情報を生成してディスプレイ部２０８に伝達するなどの総体的制御役割を果たす。ここで、マイクロプロセッサー２１４の細部構造については図６を参照して詳細に説明する。
【００６３】
ベースバンド変換部２１６は、ＲＦ信号処理部２１８を通じて送受信される信号に対してベースバンド信号に変換し、デジタル−アナログ変換及びアナログ−デジタル変換処理などの機能を行う。
【００６４】
また、ベースバンド変換部２１６は、正常ＰＩＮ確認が完了したマイクロプロセッサー２１４から伝送される金融サービス要請信号をＲＦ信号処理部２１８に伝達したり、ＲＦ信号処理部２１８の電力を制御したり、その利益を自動的に制御したりする。そして、ＲＦ信号処理部２１８から受信される金融サービスデータの伝達を受ける。
【００６５】
ＲＦ信号処理部２１８は、移動通信網からアンテナ２２０に受信されるＲＦ信号を復調及び増幅し、ベースバンド変換部２１６から入力される金融サービス要請信号を変調して出力する部分である。アンテナ２２０は移動通信網１３０との送受信を行う部分である。
【００６６】
図６は、図５に示されたマイクロプロセッサーの内部構成を示すブロック構成図である。
【００６７】
図６に示されているように、マイクロプロセッサー２１４は、スマートカード情報呼出モジュール２１４０と、入力ＰＩＮ確認モジュール２１４２と、認証処理モジュール２１４４と、仮想情報生成／呼出モジュール２１４６と、スマートカード情報変更モジュール２１４８とを含む。
【００６８】
スマートカード情報呼出モジュール２１４０は、キー入力部２０６を通じて金融サービスの提供要請が入力されると、外部装置接続部２１０を通じてスマートカード２２２に記憶されたデータを呼び出す役割を果たす。つまり、本発明の第２実施例により入力されたＰＩＮ番号が金融サービスのための正常ＰＩＮなのか仮想口座情報生成のための非常用ＰＩＮであるかどうかを確認するために、スマートカード２２２に記憶された正常ＰＩＮと非常用ＰＩＮを呼び出す機能を行う。
【００６９】
入力ＰＩＮ確認モジュール２１４２は、キー入力部２０６を通じて使用者が入力したＰＩＮ番号（以下「入力ＰＩＮ」という）を受信する部分である。
【００７０】
認証処理モジュール２１４４は、入力ＰＩＮが正常ＰＩＮであるか、非常用ＰＩＮであるか、または誤入力されたＰＩＮであるかを確認して入力ＰＩＮの認証を行う部分である。このために、認証処理モジュール２１４４は、入力ＰＩＮ確認モジュール２１４２から入力ＰＩＮを受信し、スマートカード情報呼出モジュール２１４０から正常ＰＩＮ及び非常用ＰＩＮを受信してそれぞれ比較した後、入力ＰＩＮが正常ＰＩＮであるか非常用ＰＩＮであるかを確認する。
【００７１】
仮想情報生成／呼出モジュール２１４６は、認証処理モジュール２１４４で入力ＰＩＮが非常用ＰＩＮであることが確認されることによって、提供する仮想口座情報を生成したり、事前に生成された仮想口座情報を呼び出したりする部分である。
【００７２】
このとき、非常用ＰＩＮの入力によって提供される仮想口座情報が事前にプログラムメモリ２０２またはデータ記憶部２０４に記憶されている場合、仮想情報生成／呼出モジュール２１４６は、事前に設定された仮想口座情報を呼び出してディスプレイ部２０８を通じて表示し、マイクロプロセッサー２１４で仮想口座情報を生成するように設定されている場合には、プログラムメモリ２０２から仮想口座生成プログラムを呼び出して仮想口座情報を生成し、ディスプレイ部２０８を通じて表示する。
【００７３】
なお、プログラムメモリ２０２は、提供されている仮想口座情報を事前に記憶するために仮想口座情報記憶部２０２２及び正常ＰＩＮ入力画面記憶部２０２４を含む。このような仮想口座情報記憶部２０２２及び正常ＰＩＮ入力画面記憶部２０２４は、プログラムメモリ２０２でないデータ記憶部２０４に含まれてもよい。
【００７４】
ここで、仮想口座情報記憶部２０２２は、非常用ＰＩＮの入力によって、仮想情報生成／呼出モジュール２１４６に提供される仮想口座情報及び仮想口座画面を記憶する部分である。
【００７５】
また、正常ＰＩＮ入力画面記憶部２０２４は、非常用ＰＩＮの入力によって、移動端末器２００が認証管理サーバー及び金融サービスサーバーに接続しなかったにもかかわらず、移動端末器の使用者の安全保障のために正常ＰＩＮが入力されて金融サービスサーバーに接続した状況と同様な画面を表示するための正常ＰＩＮ入力画面を記憶する部分である。
【００７６】
スマートカード情報変更モジュール２１４８は、スマートカード２２２に記憶された内訳を変更するモジュールである。つまり、スマートカード２２２に記憶された正常ＰＩＮや非常用ＰＩＮなどを変更させる部分である。
【００７７】
図７は、図５に示されたスマートカードの内部構成を示すブロック構成図である。
【００７８】
図７に示されているように、スマートカード２２２は、中央処理装置（ＣＰＵ：Ｃｅｎｔｒａｌ-Ｐｒｏｃｅｓｓｉｎｇ-Ｕｎｉｔｎｉｔ、以下「ＣＰＵ」という）２２２２と、ＲＯＭ（ＲｅａｄＯｎｌｙ Ｍｅｍｏｒｙ）２２２４と、ＲＡＭ（Ｒａｎｄｏｍ‐Ａｃｃｅｓｓ‐Ｍｅｍｏｒｙ）２２２６と、ＥＥＰＲＯＭ（Ｅｌｅｃｔｒｉｃａｌｌｙ Ｅｒａｓａｂｌｅ ａｎｄＰｒｏｇｒａｍｍａｂｌｅ ＲＯＭ）２２２８とを含む。
【００７９】
ＣＰＵ２２２２は、スマートカード２２２のＲＯＭ２２２４、ＲＡＭ２２２６及びＥＥＰＲＯＭ２２２８にデータを記憶させ、記憶されたデータを呼出または修正するなど、スマートカード２２２の全般的なデータ入出力を制御する部分である。
【００８０】
ＲＯＭ２２２４は、修正が不可能なデータを記憶する部分で、スマートカード２２２の運営体制及び保安アルゴリズムを搭載する部分である。通常スマートカード２２２の運営体制としてはＣＯＳ（ＣｈｉｐＯｐｅｒａｔｉｎｇ Ｓｙｓｔｅｍ）を使用する。
【００８１】
ＲＡＭ２２２は、一時的にデータが記憶される部分で、スマートカード２２２に電力が供給される間にのみデータの保管が可能であり、電力供給がなくなると同時に記憶されていたデータはなくなる。
【００８２】
ＥＥＰＲＯＭ２２２８は、修正可能なデータが記憶される部分であり、ＲＡＭ２２２６とは異なってスマートカード２２２に電力が供給されなくても記憶されたデータを継続して保管することができるので、各種プログラム、アプリケーションプログラム、パスワード、本発明の第２実施例による正常ＰＩＮや非常用ＰＩＮなどが記憶される。このためにＥＥＰＲＯＭ２２２８は、正常ＰＩＮ記憶部２２２８２と、非常用ＰＩＮ記憶部２２２８４とを含む。
【００８３】
図８は、本発明の第２実施例による移動端末器のパスワードによる安全保障サービス提供方法を説明するための流れ図である。
【００８４】
図８を参照すると、まず、金融サービスの提供を受けようとする使用者は、金融サービスに使用するＰＩＮ番号を設定する。本発明の第２実施例によって、使用者は、正常な金融取引のための正常ＰＩＮと、非常事態で仮想口座情報の生成のために使用される非常用ＰＩＮとを設定する。このとき、設定された正常ＰＩＮと非常用ＰＩＮはスマートカード２２２のＥＥＰＲＯＭ２２２８に記憶される。
【００８５】
また、使用者は、非常用ＰＩＮが入力される場合、提供される仮想口座情報を設定することができる。このとき、設定される仮想口座情報は移動端末器２００のプログラムメモリ２０２やデータ記憶部２０４に記憶される。
【００８６】
このような過程を通じて金融サービスのための設定が完了されると、使用者は移動端末器２００を利用してコンテンツ使用、ショッピングまたは銀行業務などの金融サービスの提供を受けることができる。
【００８７】
使用者が移動端末器２００に搭載された多様なプログラムメニューの中から金融サービスのためのメニューを選択すると（Ｓ６１０）、プログラムメモリ２０２から金融サービス提供のためのプログラムを呼び出す。金融サービス提供のためのプログラムを実行する間に安全確認段階に至ると、キー入力部２０６を通じて使用者から入力ＰＩＮを受信する（Ｓ６２０）。
【００８８】
入力ＰＩＮ確認モジュール２１４２を通じて入力ＰＩＮが確認されると、スマートカード情報呼出モジュール２１４０を利用してスマートカード２２２のＥＥＰＲＯＭ２２２８に記憶された正常ＰＩＮと非常用ＰＩＮを呼び出す。そして、認証処理モジュール２１４４を通じて入力ＰＩＮが正常な金融サービスのための正常ＰＩＮであるか仮想口座情報生成のための非常用ＰＩＮであるかを確認する（Ｓ６３０）。
【００８９】
まず、認証処理モジュール２１４４は入力ＰＩＮと正常ＰＩＮを比較する（Ｓ６４０）。入力ＰＩＮが正常ＰＩＮであれば、使用者が要請した金融サービスの提供を受けるように移動端末器２００は移動通信網を通じて認証管理サーバー及び金融サービスサーバーと連結される（Ｓ６５０）。
【００９０】
しかし、段階Ｓ６４０の判断の結果、入力ＰＩＮが正常ＰＩＮでなければ、認証処理モジュール２１４４は、入力ＰＩＮが非常用ＰＩＮであるかを確認する（Ｓ６６０）。
【００９１】
入力ＰＩＮが非常用ＰＩＮであれば、仮想情報生成／呼出モジュール２１４６は使用者の身元安全のために、正常ＰＩＮの処理過程と同一な画面を生成または呼び出してディスプレイ部２０８を通じて提供する。このとき、正常ＰＩＮ入力画面は事前にプログラムメモリ２０２やデータ記憶部２０４に記憶されていることもある（Ｓ６７０）。
【００９２】
仮想情報生成／呼出モジュール２１４６はプログラムメモリ２０２から仮想口座生成プログラムを呼び出して仮想口座情報を生成したり、事前に設定されてプログラムメモリ２０２やデータ記憶部２０４に記憶されていた仮想口座情報を呼び出したりする。そして、呼び出された仮想口座情報を、ディスプレイ部２０８を通じて表示する（Ｓ６８０）。
【００９３】
しかし、段階Ｓ６６０の判断の結果、入力ＰＩＮが非常用ＰＩＮでなければ、つまり、入力されたＰＩＮ番号が正常ＰＩＮでもなく非常用ＰＩＮでもない場合には、単純にＰＩＮ番号の入力エラーとして判断してＰＩＮ番号が誤入力されたことを知らせるエラーメッセージを表示する。このとき、ＰＩＮ入力のための画面を再び表示して段階Ｓ６２０後の過程を行うこともでき、金融サービス過程を中断させることもできる（Ｓ６９０）。
【００９４】
図９は、本発明の第２実施例により金融サービスの提供を受ける移動端末器の例示画面を示す図である。
【００９５】
図９を参照すると、使用者は、図９（１）のように表示される移動端末器２００に搭載された多様なプログラムメニューの中から金融サービスのためのメニューを選択する。金融サービスメニューが選択されると、図９（２）のように金融サービスのためのＰＩＮ番号入力画面が表示される。
【００９６】
このとき、正常ＰＩＮが入力されると、金融サービスサーバーへの接続を知らせる図９（３−１）の画面が表示され、金融サービスサーバーに接続されると口座情報を呼び出して図９（３−２）のように表示する。キー入力部２０６を通じて使用者から口座振替などの金融サービス要請があると、金融サービスサーバーを通じて要請内訳を処理した後、金融サービス結果を受信して図９（３−３）の画面を提供する。
【００９７】
しかし、非常用ＰＩＮが入力された場合、使用者の身元安全のために正常な取引のときと同一な仮想画面を図９（４−１）のように表示する。そして、使用者口座保護のために事前に設定された仮想口座情報を呼び出して図９（４−２）のように表示する。
【００９８】
一方、本発明の第２実施例では、移動端末器の使用者に非常事態が発生したときの使用者の口座保護のために仮想口座情報を表示することについてのみ説明したが、本発明の技術的範囲はこれに限定されず、仮想口座情報を表示すると同時に、前記本発明の第１実施例のように警察署や警備会社などの非常電話番号に、非常事態のメッセージや緊急救助要請のメッセージを伝達することができる。これは前記図１乃至図４とこれに対応する詳細な説明の部分を参照する場合、本技術分野の当業者は容易に分かる。
【００９９】
具体的に、図８の段階Ｓ６６０によって非常用ＰＩＮ入力の可否を確認することにおいて、非常用ＰＩＮ番号の入力が確認されると使用者の身元に危険があることを判断して仮想口座情報を表示すると同時に、警察署や警備会社などの非常電話番号に非常メッセージまたは位置情報を含む非常メッセージなどを伝送するように設定することができる。このとき、使用者の安全のために警察署や警備会社に非常連絡が行われるとき、移動端末器２００には画面や声でいかなる表示もされてはならない。
【０１００】
一方、前記本発明の第２実施例でも金融サービスについてのみ説明しているが、本発明の技術的範囲はこれに限定されず、前記説明に基づいた構成及び作用を適用する場合にはパスワードを使用して処理される特殊サービス、例えば金融サービス以外に通信機能と一般的な移動端末器の機能に対しても適用されることは、本技術分野の当業者であれば容易に理解できる。この場合、非常事態に面した使用者から特殊サービスに対する使用要請がある場合、入力される非常用ＰＩＮを通じてこれを認識して特殊サービスが正常に処理されることと同様な形態の仮想の処理画面を移動端末器に表示することによって非常事態に置かれた使用者の安全を保障することができる。
【０１０１】
前記のように、本発明の第２実施例では移動端末器の使用者に非常事態が発生した場合に使用者の口座保護のために仮想口座情報を表示することについて説明したが、以下では金融サービスが不可能であることを知らせる非正常処理メッセージを移動端末器に表示して正常な金融取引が行われないようにする本発明の第３実施例について説明する。
【０１０２】
図１０は、本発明の第３実施例による移動端末器のパスワードによる安全保障サービス提供装置の内部構造を簡略に示すブロック構成図である。
【０１０３】
図１０に示されているように、本発明の第３実施例による移動端末器３００は、プログラムメモリ３０２と、データ記憶部３０４と、キー入力部３０６と、ディスプレイ部３０８と、外部装置接続部３１０と、スマートカード３２２と、加入者情報記憶部３１２と、マイクロプロセッサー３１４と、ベースバンド変換部３１６と、ＲＦ信号処理部３１８と、アンテナ３２０とを含む。
【０１０４】
ここで、データ記憶部３０４、キー入力部３０６、ディスプレイ部３０８、外部装置接続部３１０、加入者情報記憶部３１２、ベースバンド変換部３１６、ＲＦ信号処理部３１８及びスマートカード３２２は、本発明の第２実施例で説明された図５に示されたデータ記憶部２０４、キー入力部２０６、ディスプレイ部２０８、外部装置接続部２１０、加入者情報記憶部２１２、ベースバンド変換部２１６、ＲＦ信号処理部２１８及びスマートカード２２２の機能と同様であるので、これらについては詳細な説明を省略する。
【０１０５】
プログラムメモリ３０２は、移動端末器３００を全般的に制御するための制御プログラムを記憶し、特に外部装置接続部３１０を通じて連結されているスマートカード３２２に記憶された正常ＰＩＮと非常用ＰＩＮを呼び出し、キー入力部３０６を通じて入力されたＰＩＮ番号と比較する入力ＰＩＮ確認プログラム、入力されたＰＩＮ番号と正常ＰＩＮが一致すると金融サービスの提供を受けるために移動通信網を通じる認証管理サーバーと連動する認証管理サーバー連結プログラム、入力されたＰＩＮ番号と非常用ＰＩＮが一致すると金融サービスが不可能であることを知らせる非正常処理メッセージを生成して表示する非正常処理メッセージ生成プログラムなどを記憶する。
【０１０６】
マイクロプロセッサー３１４は、移動通信網を通じて音声及びデータ通話を行い、キー入力部３０６を通じて金融サービスの提供要請が入力されると、ＰＩＮ番号を受信して正常ＰＩＮであるか非常用ＰＩＮであるかを確認し、正常ＰＩＮであればＲＦ信号処理部３１８を通じて移動通信網、認証管理サーバーを通じて金融サービスサーバーに接続して金融サービスの提供を受け、非常用ＰＩＮであれば非正常処理メッセージを生成してディスプレイ部３０８に伝達するなどの総体的制御役割を果たす。ここで、マイクロプロセッサー３１４の細部構造については図１１を参照して詳細に説明する。
【０１０７】
図１１は、図１０に示されたマイクロプロセッサーの内部構成を示すブロック構成図である。
【０１０８】
図１１に示されているように、マイクロプロセッサー３１４は、スマートカード情報呼出モジュール３１４０と、入力ＰＩＮ確認モジュール３１４２と、認証処理モジュール３１４４と、非正常処理メッセージ生成／呼出モジュール３１４６と、スマートカード情報変更モジュール３１４８とを含む。
【０１０９】
ここで、スマートカード情報呼出モジュール３１４０、入力ＰＩＮ確認モジュール３１４２、認証処理モジュール３１４６及びスマートカード情報変更モジュール３１４８は、本発明の第２実施例で説明された図６に示されたスマートカード情報呼出モジュール２１４０、入力ＰＩＮ確認モジュール２１４２、認証処理モジュール２１４６及びスマートカード情報変更モジュール２１４８の機能と同一であるので、これらについては詳細な説明を省略する。
【０１１０】
非正常処理メッセージ生成／呼出モジュール３１４６は、認証処理モジュール３１４４で入力ＰＩＮが非常用ＰＩＮであることが確認されることによって提供する非正常処理メッセージを生成したり、事前に設定された非正常処理メッセージを呼び出したりする部分である。
【０１１１】
このとき、非常用ＰＩＮ入力によって提供される非正常処理メッセージが事前にプログラムメモリ３０２またはデータ記憶部３０４に記憶されている場合、非正常処理メッセージ生成／呼出モジュール３１４６は、事前に設定された非正常処理メッセージを呼び出してディスプレイ部３０８を通じて表示し、マイクロプロセッサー３１４で非正常処理メッセージを生成するように設定されている場合には、プログラムメモリ３０２から非正常処理メッセージ生成プログラムを呼び出して非正常処理メッセージを生成し、ディスプレイ部３０８を通じて表示する。
【０１１２】
なお、プログラムメモリ３０２は、提供される非正常処理メッセージを事前に記憶するために非正常処理メッセージ記憶部３０２２及び正常ＰＩＮ入力画面記憶部３０２４を含む。このような非正常処理メッセージ記憶部３０２２及び正常ＰＩＮ入力画面記憶部３０２４は、プログラムメモリ３０２でないデータ記憶部３０４に含まれることもできる。
【０１１３】
ここで、非正常処理メッセージ記憶部３０２２は、非常用ＰＩＮの入力によって非正常処理メッセージ生成／呼出モジュール３１４６に提供される非正常処理メッセージを記憶する部分である。
【０１１４】
本発明の第３実施例によるスマートカード３２２の構成は本発明の第２実施例で説明された図７に示されたスマートカード２２２の構成及び機能と同一であるので、本発明の第３実施例による機能説明時に図７に示された構成を使用して説明する。
【０１１５】
図１２は、本発明の第３実施例による移動端末器のパスワードによる安全保障サービス提供方法を説明するための流れ図である。
【０１１６】
図１２を参照するとまず、金融サービスの提供を受けようとする使用者は金融サービスに使用するＰＩＮ番号を設定する。本発明の第３実施例によって、使用者は、正常な金融取引のための正常ＰＩＮと、非常事態で使用者口座の保護のために使用される非常用ＰＩＮとを設定する。このとき、設定された正常ＰＩＮと非常用ＰＩＮはスマートカード３２２に記憶される。
【０１１７】
また、使用者は非常用ＰＩＮが入力される場合に提供されている非正常処理メッセージを事前に設定することができる。このとき、設定される非正常処理メッセージは移動端末器３００のプログラムメモリ３０２やデータ記憶部３０４に記憶される。
【０１１８】
このような過程を通じて金融サービスのための設定が完了されると、使用者は移動端末器３００を利用してコンテンツ使用、ショッピングまたは銀行業務などの金融サービスの提供を受ける。
【０１１９】
使用者が移動端末器３００に搭載された多様なプログラムメニューの中で金融サービスのためのメニューを選択すると（Ｓ７１０）、プログラムメモリ３０２から金融サービス提供のためのプログラムを呼び出す。金融サービス提供のためのプログラムを実行する途中安全確認段階に至ると、キー入力部３０６を通じて使用者から入力ＰＩＮの入力を受ける（Ｓ７２０）。
【０１２０】
入力ＰＩＮ確認モジュール３１４２を通じて入力ＰＩＮが確認されると、スマートカード情報呼出モジュール３１４０を利用してスマートカード３２２に記憶された正常ＰＩＮと非常用ＰＩＮを呼び出す。そして、認証処理モジュール３１４４を通じて入力ＰＩＮが正常な金融サービスのための正常ＰＩＮであるか使用者口座保護のための非常用ＰＩＮであるかを確認する（Ｓ７３０）。
【０１２１】
まず、認証処理モジュール３１４４は入力ＰＩＮと正常ＰＩＮを比較する（Ｓ７４０）。入力ＰＩＮが正常ＰＩＮであれば、使用者が要請した金融サービスの提供を受けるように、移動端末器３００は移動通信網を通じて認証管理サーバー及び金融サービスサーバーと連結される（Ｓ７５０）。
【０１２２】
しかし、段階Ｓ７４０の判断の結果、入力ＰＩＮが正常ＰＩＮでなければ、認証処理モジュール３１４４は、入力ＰＩＮが非常用ＰＩＮであるかを確認する（Ｓ７６０）。
【０１２３】
入力ＰＩＮが非常用ＰＩＮであれば、非正常処理メッセージ生成／呼出モジュール３１４６は使用者の身元安全のために正常ＰＩＮの処理過程と同一な画面を生成または呼び出してディスプレイ部３０８を通じて提供する。このとき、正常ＰＩＮ入力画面は、事前にプログラムメモリ３０２やデータ記憶部３０４に記憶されていることもある（Ｓ７７０）。
【０１２４】
非正常処理メッセージ生成／呼出モジュール３１４６は、プログラムメモリ３０２から非正常処理メッセージ生成プログラムを呼び出して非正常処理メッセージを生成したり、事前に設定されてプログラムメモリ３０２やデータ記憶部３０４に記憶されていた非正常処理メッセージを呼び出したりする。そして、呼び出された非正常処理メッセージを、ディスプレイ部３０８を通じて表示する（Ｓ７８０）。
【０１２５】
しかし、段階Ｓ７６０の判断の結果、入力ＰＩＮが非常用ＰＩＮでなければ、つまり、入力されたＰＩＮ番号が正常ＰＩＮでもなく非常用ＰＩＮでもない場合には、単純にＰＩＮ番号の入力エラーに判断してＰＩＮ番号が誤入力されたことを知らせるエラーメッセージを表示する。このとき、ＰＩＮ入力のための画面を再び表示して段階Ｓ７２０以降の過程を行うこともでき、金融サービス過程を中断させることもできる（Ｓ７９０）。
【０１２６】
図１３は、本発明の第３実施例により金融サービスの提供を受ける移動端末器の例示画面である。
【０１２７】
図１３を参照すると、使用者は、図１３（１）のように表示する移動端末器３００に搭載された多様なプログラムメニュー中から金融サービスのためのメニューを選択する。金融サービスメニューが選択されると、図１３（２）のように金融サービスのためのＰＩＮ番号入力画面が表示される。
【０１２８】
このとき、正常ＰＩＮが入力されると、金融サービスサーバーへの接続を知らせる図１３（３−１）の画面が表示され、金融サービスサーバーに接続されると口座情報を呼び出して図１３（３−２）のように表示する。キー入力部３０６を通じて使用者から口座振替などの金融サービス要請があると、金融サービスサーバーを通じて要請内訳を処理した後、金融サービス結果を受信して図１３（３−３）の画面のように提供する。
【０１２９】
しかし、非常用ＰＩＮが入力された場合、使用者の身元安全のために正常な取り引き時と同一な画面を図１３（４−１）のように表示する。そして、使用者口座保護のための非正常処理メッセージを生成または呼び出して図１３（４−２）のように表示する。
【０１３０】
このとき、使用者口座に異常が発生したことを表示するための非正常処理メッセージを図１３（４−１）及び図１３（４−２）のような表示することもできるが、機器に異常が発生したことを表示する非正常処理メッセージを直ちに図１３（５）のように表示することもできる。
【０１３１】
一方、本発明の第３実施例では、移動端末器の使用者に非常事態が発生したときに使用者の口座保護のために金融サービスが不可能であることを示す非正常処理メッセージを表示することについてのみ説明したが、本発明の技術的範囲はこれに限定されず、非正常処理メッセージを表示すると同時に、前記本発明の第１実施例のように警察署や警備会社などの非常電話番号に非常事態を知らせるメッセージや緊急救助要請のメッセージを伝達することもできる。これは前記図１乃至図４とこれに対応する詳細な説明の部分を参照する場合、本技術分野の当業者は容易に分かる。
【０１３２】
具体的に、図１２の段階Ｓ７６０によって非常用ＰＩＮ入力可否を確認することにおいて、非常用ＰＩＮ番号の入力が確認されると使用者の身元に危険があると判断して非正常処理メッセージを表示すると同時に、警察署や警備会社などの非常電話番号に非常メッセージまたは位置情報を含む非常メッセージなどを伝送するように設定することができる。このとき、使用者の安全のために警察署や警備会社に非常連絡が行われるとき、移動端末器３００には画面や声でいかなる表示も行われてはならない。
【０１３３】
一方、前記本発明の第３実施例でも金融サービスについてのみ説明しているが、本発明の技術的範囲はこれに限定されず、前記説明に基づいた構成及び作用を適用する場合にはパスワードを使用して処理される特殊サービス、例えば金融サービス以外に通信機能と一般的な移動端末器の機能に対しても適用されることは、本技術分野の当業者であれば容易に理解できる。この場合、非常事態に面した使用者から特殊サービスに対する使用要請がある場合、入力される非常用ＰＩＮを通じてこれを認識して要請された特殊サービスが処理されることができないという非正常処理メッセージを移動端末器に表示することによって、非常事態に置かれた使用者の安全を保障することができる。
【０１３４】
たとえ、本発明が最も実際的で好ましい実施例を参照して説明されたとしても、本発明は前記開示された実施例に限定されず、特許請求の範囲内に属する多様な変形及び等価物も含む。
【符号の説明】
【０１３５】
１００  安全保障サービス提供装置
１１０  ＰＩＮ入力モジュール
１２０  認証モジュール
１３０  記憶モジュール
１４０  機能起動モジュール
１５０  ＳＭＳ発送モジュール
１６０  エラー処理モジュール
２００  移動端末器
２０２  プログラムメモリ
２０４、３０４  データ記憶部
２０６、３０６  キー入力部
２０８  ディスプレイ部
２１０、３１０  外部装置接続部
２１２、３１２  加入者情報記憶部
２１４、３１４  マイクロプロセッサー
２１６、３１６  ベースバンド変換部
２１８、３１８  ＲＦ信号処理部
２２０  アンテナ
２２２、３２２  スマートカード
２０２２  仮想口座情報記憶部
２０２４  正常ＰＩＮ入力画面記憶部
２１４０、３１４０  スマートカード情報呼出モジュール
２１４２、３１４２  入力ＰＩＮ確認モジュール
２１４４、３１４４  認証処理モジュール
２１４６  仮想情報生成／呼出モジュール
２１４８、３１４８  スマートカード情報変更モジュール
２２２２  中央処理装置（ＣＰＵ）
２２２４  ＲＯＭ
２２２６  ＲＡＭ
２２２８  ＥＥＰＲＯＭ
３１４６  非正常処理メッセージ生成／呼出モジュール
【図１】
2009545897.tif 000003
【図２】
2009545897.tif 000004
【図３】
2009545897.tif 000005
【図４】
2009545897.tif 000006
【図５】
2009545897.tif 000007
【図６】
2009545897.tif 000008
【図７】
2009545897.tif 000009
【図８】
2009545897.tif 000010
【図９】
2009545897.tif 000011
【図１０】
2009545897.tif 000012
【図１１】
2009545897.tif 000013
【図１２】
2009545897.tif 000014
【図１３】
2009545897.tif 000015
【国際調査報告】
2009545897.tif 000016
2009545897.tif 000017
2009545897.tif 000018